(57)【特許請求の範囲】
【請求項１】
包装袋の一部に配置されシールされた第一基部と、該第一基部の外側に連接された第一円筒部とからなる注出部と、
前記注出部の対向位置に配置されシールされた第二基部と、該第二基部の内側に連接され、前記第一円筒部と同一の円筒部を備える他の包装体の第一円筒部と連結する第二円筒部とからなる連結部と、
を有し、
前記第一円筒部と前記第二円筒部が、それぞれ封止部材で封止され、
前記第一円筒部の口径が、第二円筒部の口径より小さく、
前記第一円筒部の口径が、前記第二円筒部の先端部に根元方向に突設するリング状の突設部の口径より大きいことを特徴とする薬液用包装袋。
【請求項２】
前記第一円筒部の外側に嵌合凹部と、前記第二円筒部の内側に嵌合凸部が形成され、連結時に嵌合凹部と嵌合凸部が嵌合することを特徴とする請求項１記載の薬液用包装袋。
【請求項３】
前記注出部と前記連結部が、前記包装袋を形成する積層フィルムに覆われ密封されていることを特徴とする請求項１または２記載の薬液用包装袋。
【請求項４】
前記第一円筒部の内面先端付近に、内側方向にリング状の凸部が形成され、該凸部の下面に封止部材が貼り付けられていることを特徴とする請求項１〜３のいずれか１項に記載の薬液用包装袋。
【請求項５】
前記第二円筒部の内面根元付近に、内側方向にリング状の凸部が形成され、該凸部の上面に封止部材が貼り付けられていることを特徴とする請求項１〜４のいずれか１項に記載の薬液用包装袋。
【請求項６】
前記第一円筒部の封止部材の端部に摘み部が形成されていることを特徴とする請求項１〜５のいずれか１項に記載の薬液用包装袋。
【請求項７】
前記包装袋の一部に孔が形成されていることを特徴とする請求項１〜６のいずれか１項に記載の薬液用包装袋。
【請求項８】
前記第二円筒部の先端内面にフィルターが形成されていることを特徴とする請求項１〜７のいずれか１項に記載の薬液用包装袋。
【請求項９】
前記第一円筒部の外面に離脱防止溝が形成されていることを特徴とする請求項１〜８のいずれか１項に記載の薬液用包装袋。
【発明の詳細な説明】
【技術分野】
【０００１】
本発明は、薬液を収納する包装袋に関する。特に包装袋間で連結できる薬液用包装袋に関するものである。
【背景技術】
【０００２】
従来、薬液用包装袋は、内面にシーラント層を有する積層フィルムの周縁部をシールした可撓性包装袋の一端を懸垂用ポールに吊し、下方端部に設けた注出口に薬液投与チューブを接続し、該チューブを介して体内に薬液を投与することは広く知られている。
【０００３】
しかし、薬液の使用量は、例えば、院内の患者に対して、医師の処方はもちろんのこと、大人、子供、高齢者、男女、体格などで、その院内でも様々であり、使用量が日々変化する。よって、こまめに包装袋を取り換えたり、薬液投与用のチューブを取り換えるなどの煩雑な作業が常態化していた。また同じ種類の薬液でも、薬液量の異なる包装袋を複数保有することになり、保管管理、保管場所の面で効率が悪い問題がある。さらに医師、看護師の必要人数が確保され難い深夜や週末では、一人当たりの業務時間も増え、事故が起きる危険性が高くなる問題がある。
【０００４】
従来の薬液用包装袋では、必要な薬液量を用意する場合、数種類の薬液量の包装袋を用意する必要があった。しかし薬液量別に包装袋を用意すると、多くの保管場所を必要とし、また在庫管理も難しくなる問題がある。
【０００５】
医師や看護師の作業改善のため、薬液用包装袋を使い易くするために、注出口の筒部にキャップを被せ、筒部先端部とキャップとを嵌合させ、キャップの回転で破断し、筒部先端部を開封させる方法の提案がある（特許文献１）。
【０００６】
この提案は、鋏などの手段を用いず、キャップで出来る提案で煩雑作業を省略する提案である。また注出口からの漏れも防ぐ効果も持っている。しかし使用する薬液量の調整を改善するものでない。
【０００７】
また注出口が突設されている包装袋に薬液を充填後、使用時に至るまで外気に触れないように袋に注出口を収納する注出口収納部を設けた薬液用包装袋がある（特許文献２）。
【０００８】
薬液を充填した後、レトルト殺菌される。使用時に、注出口収納部を開封し、注出口を取り出し薬液投与チューブに接続して使用する提案である。衛生面ではよいが、使用する薬液量の調整を改善するものでない。
【先行技術文献】
【特許文献】
【０００９】
【特許文献１】特開２００２−２１１５９３号公報
【特許文献２】特開平１１−２６３３５５号公報
【発明の概要】
【発明が解決しようとする課題】
【００１０】
使用する薬液量の調整が容易で、作業し易い薬液用包装袋を提供することにある。
【課題を解決するための手段】
【００１１】
上記の課題を解決するために、発明者らは鋭意検討を行い、本発明を完成した。
【００１２】
本発明の請求項１に係る発明は、包装袋の一部に配置されシールされた第一基部と、該第一基部の外側に連接された第一円筒部とからなる注出部と、
前記注出部の対向位置に配置されシールされた第二基部と、該第二基部の内側に連接され、前記第一円筒部と同一の円筒部を備える他の包装体の第一円筒部と連結する第二円筒部とからなる連結部と、
を有し、
前記第一円筒部と前記第二円筒部が、それぞれ封止部材で封止され、
前記第一円筒部の口径が、第二円筒部の口径より小さく、
前記第一円筒部の口径が、前記第二円筒部の先端部に根元方向に突設するリング状の突設部の口径より大きいことを特徴とする薬液用包装袋である。
【００１３】
本発明の請求項２に係る発明は、前記第一円筒部の外側に嵌合凹部と、前記第二円筒部の内側に嵌合凸部が形成され、連結時に嵌合凹部と嵌合凸部が嵌合することを特徴とする請求項１記載の薬液用包装袋である。
【００１４】
本発明の請求項３に係る発明は、前記注出部と前記連結部が、前記包装袋を形成する積層フィルムに覆われ密封されていることを特徴とする請求項１または２記載の薬液用包装袋である。
【００１５】
本発明の請求項４に係る発明は、前記第一円筒部の内面先端付近に、内側方向にリング状の凸部が形成され、該凸部の下面に封止部材が貼り付けられていることを特徴とする請求項１〜３のいずれか１項に記載の薬液用包装袋である。
【００１６】
本発明の請求項５に係る発明は、前記第二円筒部の内面根元付近に、内側方向にリング状の凸部が形成され、該凸部の上面に封止部材が貼り付けられていることを特徴とする請求項１〜４のいずれか１項に記載の薬液用包装袋である。
【００１７】
本発明の請求項６に係る発明は、前記第一円筒部の封止部材の端部に摘み部が形成されていることを特徴とする請求項１〜５のいずれか１項に記載の薬液用包装袋である。
【００１８】
本発明の請求項７に係る発明は、前記包装袋の一部に孔が形成されていることを特徴とする請求項１〜６のいずれか１項に記載の薬液用包装袋である。
【００１９】
本発明の請求項８に係る発明は、前記第二円筒部の先端内面にフィルターが形成されていることを特徴とする請求項１〜７のいずれか１項に記載の薬液用包装袋である。
【００２０】
本発明の請求項９に係る発明は、前記第一円筒部の外面に離脱防止溝が形成されていることを特徴とする請求項１〜８のいずれか１項に記載の薬液用包装袋である。
【発明の効果】
【００２１】
本発明の請求項１によれば、包装袋の一部に配置されシールされた第一基部と、該第一基部の外側に連接された第一円筒部とからなる注出部と、
前記注出部の対向位置に配置されシールされた第二基部と、該第二基部の内側に連接され、前記第一円筒部と同一の円筒部を備える他の包装体の第一円筒部と連結する第二円筒部とからなる連結部と、
を有し、
前記第一円筒部と前記第二円筒部が、それぞれ封止部材で封止され、
前記第一円筒部の口径が、第二円筒部の口径より小さく、
前記第一円筒部の口径が、前記第二円筒部の先端部に根元方向に突設するリング状の突設部の口径より大きいことを特徴とする。薬液用包装袋には、対向する位置に配置された注出部と連結部が配置されている。薬液は、包装袋および封止部材で密封されている。包装袋は、注出部と下流の包装袋の連結部が連結できるように、前記第一円筒部の口径が、第二円筒部の口径より小さくしている。また前記第一円筒部の口径が、前記第二円筒部のリング状の突設部の口径より大きくしている。連結時にそれぞれの封止部材を破断し、薬液が下流の包装袋に流入ができるようにしたものである。
【００２２】
本発明の請求項２によれば、前記第一円筒部の外側に嵌合凹部と、前記第二円筒部の内側に嵌合凸部が形成され、連結時に嵌合凹部と嵌合凸部が嵌合することを特徴とする。第一円筒部と第二円筒部を嵌合させることで、注出部と連結部とが嵌合し連結される。即ち薬液用包装袋が連結される。
【００２３】
本発明の請求項３によれば、前記注出部と前記連結部が、前記包装袋を形成する積層フィルムに覆われ密封されていることを特徴とする。注出部と連結部を包装袋の積層フィルムで覆うことにより、薬液が漏れた場合でも、外部への漏れがない。オーバーキャップなどで覆う必要もない。また包装袋をレトルト殺菌した後も、使用時まで殺菌状態に保ち、使用時に露出させて連結させるために、衛生面でも優れている。
【００２４】
本発明の請求項４によれば、前記第一円筒部の内面先端付近に、内側方向にリング状の凸部が形成され、該凸部の下面に封止部材が貼り付けられていることを特徴とする。封止部材が第二円筒部のリング状の突設部により、該封止部材の下側から上側に向けて破断される。連結するときに、第一円筒部の先端部と第二円筒部の先端部の内面に有する第一封止凸部が接触し、薬液の外部への漏れを防いでいる。第一円筒部の先端に封止部材を貼り付けた場合は、封止部材の破断が貼り付け箇所まで及んだ際に、破断箇所で段差が生じ、その破断箇所から液漏れする心配がある。第一円筒部の先端より根元方向の部位に設けるのがよい。
【００２５】
本発明の請求項５によれば、前記第二円筒部の内面根元付近に、内側方向にリング状の凸部が形成され、該凸部の上面に封止部材が貼り付けられていることを特徴とする。封止部材が第一円筒部の先端部により、上側から下側に向けて破断される。連結される際は、第一基部に形成された第二封止凸部と第二基部に形成された封止凹部とが嵌合し、薬液の漏れを防ぐことができる。
【００２６】
本発明の請求項６によれば、前記第一円筒部の封止部材の端部に摘み部が形成されていることを特徴とする。最下流に配置された包装袋の第一円筒部に、薬液投与用チューブを取り付けて使用する。手指で封止部材を剥がしてから、薬液投与用チューブを取り付けることができる。この場合、封止部材の端部の摘み部を掴み、容易に剥がすことができる。
【００２７】
本発明の請求項７によれば、前記包装袋の一部に孔が形成されていることを特徴とする。
薬液用包装袋をフックに吊り下げるための孔である。懸垂用ポールに吊下げて使用することができる。
【００２８】
本発明の請求項８によれば、前記第二円筒部の先端内面にフィルターが形成されていることを特徴とする。連結した際、注出部、連結部の封止部材の一部が外れ、下流の包装袋に流入するのを防ぐのである。封止部材の流入を防止するフィルターである。
【００２９】
本発明の請求項９によれば、前記第一円筒部の外面に離脱防止溝が形成されていることを特徴とする。該離脱防止溝に薬液投与用チューブを取り付けるのである。この離脱防止溝は、チューブの離脱防止のために形成している。またチューブの口径に応じて離脱防止溝の部位を数種設けることが好ましい。
【００３０】
薬液用包装袋を連結することで、予め計算された薬液量に対して調整をし易くしたものである。また薬液用包装袋の保管場所、在庫管理などの問題点を改善できるようにしたものである。
【図面の簡単な説明】
【００３１】
【図１】本発明の薬液用包装袋の一例を示す説明図である。
【図２】本発明の注出部の一例を示す説明図である。
【図３】本発明の連結部の一例を示す説明図である。
【図４】注出部と連結部が連結された状態の一例を示す説明図である。
【図５】薬液用包装袋が連結されている状態の一例を示す説明図である。
【発明を実施するための形態】
【００３２】
以下本発明を実施するための形態につき説明する。
【００３３】
図１は、本発明の薬液用包装袋１の一例を示す説明図である。表裏二枚の積層フィルムの周縁部をシールして包装袋を形成する（シール部を１１で示す）。その包装袋の一部に注出部２を配置し、該注出部の対向位置に連結部３が配置されている。包装袋のシーラント層と熱融着する第一基部４と、連結部の第二円筒部７と連結する第一円筒部６を有している。また連結部は、シーラント層と熱融着する第二基部５と、第一円筒部６と連結する第二円筒部７を有していでる。
【００３４】
注出部２および連結部３を、包装袋に取り付ける際には、第一基部４と第二基部５を包装袋のシーラント層と熱融着させる。この際熱融着を容易にするために、例えば、それぞれの基部の両端に薄い舟形形状の熱融着部（図には示していない）を形成し、熱融着することで確実に取り付けることができる。即ち舟形形状にシールすることにより包装袋に取り付けられる。また基部にはシート層との熱融着を向上させるために凸状や溝を（図には示していない）設けるとよい。
【００３５】
また注出部２および連結部３は、包装袋を形成する積層フィルムに覆われている。周縁部がシール１１され密封されている。
【００３６】
薬液用包装袋１の一部に吊下げるための孔８が形成されている。孔８の位置は、特に限定されないが、包装袋の注出部が配置されている上隅に形成されることが好ましい。吊下げ用フックに掛け易く、効率よく薬液の流入を行うことができる。
【００３７】
また使用時に、注出部２および連結部３を取り出し易くするために易カット線９ならびにノッチ１０を設けている。ノッチ１０より易カット線９に沿って開封することにより、容易に取り出すことができる。
【００３８】
図２は、本発明の注出部２の一例を示す説明図である。注出部２は、第一基部４に連接して第一円筒部６が形成されている。第一円筒部６は中空に成型され、中空部は、第一基部４に貫通して包装袋に連通している。第一円筒部６の外側に第二円筒部７と嵌合するための嵌合凹部２０が形成されている。また第一円筒部の内面先端付近にリング状の凸部２２が形成され、そのリング状の凸部２２の下面に封止部材２７が貼り付けられている。また封止部材２７の端部に摘み部２８が形成されている。また第一基部４には、第二基部５と嵌合するための第二封止凸部２４が形成されている。
【００３９】
第一円筒部６の外側には、嵌合凹部２０より根元方向の部位に薬液投与用チューブ３１を取り付けるための離脱防止溝３０が形成されている。第一円筒部６は、先端方向に口径が小さくなるようにテーパーを設けている。チューブ３１の口径に合わせて、離脱防止溝
３０を形成する部位を決めることができる。即ち口径の種類に合わせて、離脱防止溝３０を形成する部位を決めればよい。
【００４０】
図３は、本発明の連結部３の一例を示す説明図である。連結部３は、第二基部５に連接して第二円筒部７が形成されている。第二円筒部７は中空に成型され、中空部は、第二基部５に貫通して包装袋に連通している。第二円筒部７の内側に嵌合凹部２０と嵌合するための嵌合凸部２１が形成されている。また第二円筒部の内面根元付近にリング状の凸部２２が形成され、その凸部の上面に封止部材２７が貼り付けられている。
【００４１】
また第二円筒部７の内面先端部には、第一円筒部の先端と接する第一封止凸部２３が形成されている。また第二円筒部の先端部に根元方向に突設するリング状の突設部２６が形成されている。該リング状の突設部２６は、第一円筒部６の封止部材２７を破断するためのものである。
【００４２】
またリング状の突設部２６の内側にフィルター２９を設けている。該フィルター２９は、破断し浮遊した封止部材２７が下流の包装袋内に流入するのを防止するためのものである。
【００４３】
図４は、注出部２と連結部３が連結された状態の一例を示す説明図である。第一円筒部６の外側の嵌合凹部２０と第二円筒部７の内側の嵌合凸部２１とが嵌合されている。また第一基部４の第二封止凸部２４と、第二基部５の封止凹部２５とが嵌合されている。第一円筒部６の先端部が、第二円筒部７に形成された封止部材２７を破断し、かつ第一円筒部６に形成された封止部材２７を、第二円筒部７に形成されたリング状の突設部２６が破断する。薬液を下流の包装袋に流入することができる。また浮遊した封止部材２７が生じても、下流の包装袋への流入を防ぐためのフィルター２９を備えている。
【００４４】
また第一円筒部６の先端が、第一封止凸部２３と接触するのとほぼ同時に、第一円筒部７の封止部材２７をリング状の突設部２６で破断することにより、薬液の外部への漏れを防ぐことができる。また、第二円筒部７の封止部材２７を破断するときにも、第一基部４の第二封止凸部２４と第二基部５の封止凹部２０が嵌合し、薬液の外部への漏れを防いでいる。
【００４５】
図５は、薬液用包装袋１が連結されている状態の一例を示す説明図である。包装袋に形成した孔８にフック３４を吊るした状態である。包装袋の第一円筒部６と下流の包装袋の第二円筒部７とが連結して包装袋を連ねた状態である。必要な薬液量から、使用する包装袋を計算し、包装袋を連結する。最下流にある包装袋の第一円筒部６には、離脱防止溝に合わせ投与用チューブ３１が装着される。
【００４６】
薬液用包装袋１は、注出部２ならびに連結部３を包装袋から取り出すために、易カット線９を設けている。易カット線９は、ミシン目もしくはレーザ光線により形成することができる。易カット線延長上の周縁部にノッチ１０を設けることで、容易に開封できる。
【００４７】
薬液用包装袋１の使用に当たっては、包装袋の注出部２を開封して露出させ、下流の包装袋の連結部３、注出部２を同様に露出させて連結する。最下流の包装袋の第一円筒部６の封止部材２７を剥がしてから、薬液投与用チューブ３１を装着する。予め必要な薬液量の包装袋を使用すればよい。包装袋の取り換え、薬液投与用チューブの取り換えなどの煩雑な作業を少なくすることができる。
【００４８】
積層フィルムとしては、例えば二軸延伸ポリエチレンテレフタレート、二軸延伸ポリアミド、二軸延伸ポリプロピレンなどのフィルムの基材に各種ポリオレフィン系樹脂からな
るシーラント層を積層したものを使用しできる。またガスバリア性や水蒸気バリア性を付与するためにエチレンービニルアルコール共重合体フィルム、また金属箔、金属蒸着層または金属酸化物層を有したポリエチレンテレフタレートフィルムを中間に積層したものも使用できる。またレトルト殺菌される場合は、シーラント層としてポリプロピレン樹脂が好ましい。
【００４９】
注出部２および連結部３を形成する樹脂としては、各種ポリオレフィン系樹脂が使用できる。特にレトルト殺菌される場合は、ポリプロピレン樹脂が好ましい。また成型する方法として、インジェクション法が好適である。
【００５０】
封止部材２７としては、例えば二軸延伸ポリエチレンテレフタレート、二軸延伸ポリアミド、二軸延伸ポリプロピレンなどのフィルムの基材に各種ポリオレフィン系樹脂からなるシーラント層を積層したものを使用しできる。またガスバリア性や水蒸気バリア性を付与するためにエチレンービニルアルコール共重合体フィルム、また金属箔、金属蒸着層または金属酸化物層を有したポリエチレンテレフタレートフィルムを中間に積層したものも使用できる。またシーラント層にイージーピール性を付与することにより、剥離し易くすることができる。またレトルト殺菌される場合は、シーラント層としてポリプロピレン樹脂が好ましい。
【００５１】
薬液用包装袋に収納する薬液は、流体、液体などの流動性を有するものが可能である。特に好ましい薬液としては、経腸、経口栄養剤や各種輸液などが好適である。
【００５２】
本発明の薬液用包装袋は、注出部、連結部が包装袋を形成する積層フィルムに覆われていることから衛生的に保護されている。使用する時に露出されることから衛生面で優れている。
【００５３】
薬液用包装袋を連結することで、予め計算された薬液量に対して調整がし易く、かつ作業がし易くなる。また薬液用包装袋の保管場所、在庫管理などの問題点を改善できるようにしたものである。
【符号の説明】
【００５４】
１    薬液用包装袋
２    注出部
３    連結部
４    第一基部
５    第二基部
６    第一円筒部
７    第二円筒部
８    孔
９    易カット線
１０  ノッチ
１１  シール
２０  嵌合凹部
２１  嵌合凸部
２２  リング状の凸部
２３  第一封止凸部
２４  第二封止凸部
２５  封止凹部
２６  リング状の突設部
２７  封止部材
２８  摘み部
２９  フィルター
３０  離脱防止溝
３１  薬液投与用チューブ
３２  嵌合方向
３３  薬液の流れ
３４  フック
【図１】
0005772267.tif 000002
【図２】
0005772267.tif 000003
【図３】
0005772267.tif 000004
【図４】
0005772267.tif 000005
【図５】
0005772267.tif 000006